(57)【要約】      （修正有）【課題】水道水等の水溶液中の残留塩素を除去する。【解決手段】東南アジアを初めとする熱帯地方で植栽されるファルカタ材に残留塩素を除去する効果をあることを発見し、種々検討したところ特にファルカタ材チップ材、チップ粉砕物、チップ抽出エキス、さらに国内産の檜、桐、杉、楢、ブナ、ケヤキ、カシ、桜、もみの木等から選択される木材、コラーゲン等の加水分解粉末、野菜類、穀類、草木類、海藻類、茶類、調味類、果実類、花卉類等の各素材を用いると水道水中の残留塩素を除去できることを見いだし、本発明の残留塩素の除去方法及び除去材を提供するものである。【選択図】図１
2006289208.tif 000002
【特許請求の範囲】
【請求項１】
水道水又は温湯中にファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択される少なくと１種以上のチップ材を浸漬することにより、又は該チップ材から得られた熱水抽出エキスを添加することにより液中の残留塩素を除去する残留塩素除去方法。
【請求項２】
ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択される少なくと１種以上のチップ材を、不織布袋又は微細孔を有する容器に納入したことを特徴とする液中の残留塩素除去材。
【請求項３】
ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択されるチップ材を熱水抽出して得た残留塩素除去用エキス。
【請求項４】
ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択されるチップ材を熱水抽出して得たエキスに可食粉体を混合して得た残留塩素除去剤。
【請求項５】
ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択されるチップ材を熱水抽出して得たエキスに可食粉体を混合し、さらに発泡剤を添加してなることを特徴とする残留塩素除去材。
【請求項６】
ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木材から製造されたことを特徴とする残留塩素除去用マドラー。
【請求項７】
コラーゲン、シルク、セリシンからなる蛋白質粉末、キトサンからなる粉末、アミノ酸粉末を水道水又は温湯中で溶解して残留塩素を除去することを特徴とする液中の残留塩素除去方法。
【請求項８】
コラーゲン、シルク、セリシンからなる蛋白質粉末、キトサンからなる粉末、アミノ酸粉末に、可食粉体を混合して得た残留塩素除去剤。
【請求項９】
コラーゲン、シルク、セリシンからなる蛋白質粉末、キトサンからなる粉末、アミノ酸粉末を溶液中に溶解して得た液体をプラスチック製又はアルミ製容器に封入したことを特徴とする残留塩素除去剤。
【請求項１０】
草木類、野菜類、海藻類、茶類、穀物類、果物類、花卉類から選択される少なくとも１種以上を、水道水又は温湯中に浸漬することにより、液中の残留塩素を除去することを特徴とする液中の残留塩素除去方法。
【請求項１１】
草木類、野菜類、海藻類、茶類、穀物類、果物類、花卉類から選択される少なくとも１種以上を乾燥させて得た乾燥物を、不織布袋又は微細孔を有する容器に納入したことを特徴とする液中の残留塩素除去材。
【請求項１２】
草木類、野菜類、海藻類、茶類、穀物類、果物類、花卉類から選択される少なくとも１種以上を乾燥させて得た乾燥物を、熱水抽出して得た残留塩素除去用エキス。
【請求項１３】
草木類、野菜類、海藻類、茶類、穀物類、果物類、花卉類から選択される少なくとも１種以上を乾燥させて得た乾燥物を熱水抽出して得たエキスに、可食粉体を混合して得た残留塩素除去剤。
【請求項１４】
草木類、野菜類、海藻類、茶類、穀物類、果物類、花卉類から選択される少なくとも１種以上を乾燥させて得た乾燥物を熱水抽出して得たエキスに可食粉体を混合し、さらに発泡剤を添加してなることを特徴とする残留塩素除去材。
【発明の詳細な説明】
【技術分野】
【０００１】
本発明は水道水や風呂水中に含有される残留塩素を除去する方法に関し、更に詳しくは、
ファルカタ材、檜材、桐材等の木材チップ、加水分解粉末、野菜・穀類等の食物等の素材を用いて水道水や温湯等の液中の残留塩素を除去する新規な残留塩素の除去方法、除去材を提供するものである。
【背景技術】
【０００２】
我が国の水道法施行規則によって上水道水（水道水をいう）には、消毒のために塩素を混入することが義務づけられており、この結果、水道水には残留塩素によるカルキ臭が感じられるようになってきた。
【０００３】
特に都心や近傍の住宅地における水道水は、生活排水や工場排水が流れ込む河川の汚染等によって、さらに大量の塩素処理を行わざるを得なく、肌の弱い人々にとって日常の風呂やシャワーを利用するときに残留塩素によって肌荒れを余儀なくされていた。
【０００４】
水道水等の水溶液中の残留塩素を除去する手段としては、水道蛇口に取付けたフィルター内を通過させて、フィルター内の繊維状炭素等で残留塩素を除去することや、装置内に塩素材として炭酸カルシウムを主成分とする多孔質体と、粘土鉱物とを含有する混合物を焼成してなるアルカリ成分の除放材と亜硫酸カルシウムとを組み合わせた除水装置等が知られている（実開平７−２４４９１号公報、特開平６−２８５４７９号公報）。
【０００５】
またアスコルビン酸又はアスコルビン酸塩を処理薬剤として、当該処理薬剤と石膏等の硬化剤とを混合して固形化した徐溶性残留塩素除去剤を用いて残留塩素を除去する方法や、タウリンを水溶液に対して０．０１〜８重量％配合して水道水を改質する方法等が知られている（特開平１１−１７９３７５号公報、特開２００２−３２０９８１号公報）。
【特許文献１】実開平７−２４４９１号公報
【特許文献２】特開平６−２８５４７９号公報
【特許文献３】特開平１１−１７９３７５号公報
【特許文献４】特開２００２−３２０９８１号公報
【発明の開示】
【発明が解決しようとする課題】
【０００６】
上記のような従来の除去材は、処理薬剤として化学化合物を用いることから水道水中に溶解した場合、人体への悪影響が心配されている他材料費が高くつくという問題があった。
【０００７】
近年は、家庭の水道水に代えて高価なミネラルウォーターを飲料水として利用する人々や浄水器を利用する人々も増加しているが、何れも材料コストが高くつかざるを得なかった。
【課題を解決するための手段】
【０００８】
本発明者は斯かる課題を解決するために鋭意研究したところ、東南アジアを初めとする熱帯地方で植栽されるファルカタ材に残留塩素を除去する効果をあることを発見し、種々検討したところ特にチップ材、チップ粉砕物、チップ抽出エキスを用いると水道水中の残留塩素を除去できることを見いだし、さらに研究を重ねたところ国内産の檜材や桐材等の木材、コラーゲン等の加水分解粉末、野菜や穀類等の食物等にも残留塩素能力があることを見いだし本発明の残留塩素の除去方法及び除去材を開発することができたものである。  
【０００９】
すなわち本発明の第一は、水道水又は温湯中にファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択される少なくと１種以上のチップ材を浸漬することにより、又は該チップ材から得られた熱水抽出エキスを添加することにより液中の残留塩素を除去する残留塩素除去方法である。
【００１０】
本発明の第二は、ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択される少なくと１種以上のチップ材を、不織布袋又は微細孔を有する容器に納入したことを特徴とする液中の残留塩素除去材である。
【００１１】
本発明の第三は、ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択されるチップ材を熱水抽出して得た残留塩素除去用エキスである。
【００１２】
本発明の第四は、ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択されるチップ材を熱水抽出して得たエキスに可食粉体を混合して得た残留塩素除去剤である。
【００１３】
本発明の第五は、ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択されるチップ材を熱水抽出して得たエキスに可食粉体を混合し、さらに発泡剤を添加してなることを特徴とする残留塩素除去材である。
【００１４】
本発明の第六は、ファルカタ、檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木材から製造されたことを特徴とする残留塩素除去用マドラーである。
【００１５】
本発明の第七は、コラーゲン、シルク、セリシンからなる蛋白質粉末、キトサンからなる粉末、アミノ酸粉末を水道水又は温湯中で溶解して残留塩素を除去することを特徴とする液中の残留塩素除去方法である。
【００１６】
本発明の第八は、コラーゲン、シルク、セリシンからなる蛋白質粉末、キトサンからなる粉末、アミノ酸粉末に、可食粉体を混合して得た残留塩素除去剤である。
【００１７】
本発明の第九は、コラーゲン、シルク、セリシンからなる蛋白質粉末、キトサンからなる粉末、アミノ酸粉末を溶液中に溶解して得た液体をプラスチック製又はアルミ製容器に封入したことを特徴とする残留塩素除去剤である。
【００１８】
本発明の第十は、草木類、野菜類、海藻類、茶類、穀物類、果物類、花卉類から選択される少なくとも１種以上を、水道水又は温湯中に浸漬することにより、液中の残留塩素を除去することを特徴とする液中の残留塩素除去方法である。
【００１９】
本発明の第十一は、草木類、野菜類、海藻類、茶類、穀物類、果物類、花卉類から選択される少なくとも１種以上を乾燥させて得た乾燥物を、不織布袋又は微細孔を有する容器に納入したことを特徴とする液中の残留塩素除去材である。
【００２０】
本発明の第十二は、草木類、野菜類、海藻類、茶類、穀物類、果物類、花卉類から選択される少なくとも１種以上を乾燥させて得た乾燥物を、熱水抽出して得た残留塩素除去用エキスである。
【００２１】
本発明の第十三は、草木類、野菜類、海藻類、茶類、穀物類、果物類、花卉類から選択される少なくとも１種以上を乾燥させて得た乾燥物を熱水抽出して得たエキスに、可食粉体を混合して得た残留塩素除去剤である。
【００２２】
本発明の第十四は、草木類、野菜類、海藻類、茶類、穀物類、果物類、花卉類から選択される少なくとも１種以上を乾燥させて得た乾燥物を熱水抽出して得たエキスに可食粉体を混合し、さらに発泡剤を添加してなることを特徴とする残留塩素除去材である。
【発明の効果】
【００２３】
本発明のファルカタ材チップは、安価な原木からチップ材やチップ粉砕物を容易に得ることができるために製造コストを安く上げることができる他、使用済みの残留塩素除去材は、熱容量が少なく処理手段として一般ゴミとして焼却できるために簡易に処理可能である。
【００２４】
また、国内産木材の場合も廃剤を有効利用できることから、上記同様に製造コストを安く上げることができる他、使用済みの残留塩素除去材は、熱容量が少なく処理手段として一般ゴミとして焼却できるために簡易に処理可能である。
【００２５】
さらに、日常食材や調味剤として使用する草木類、野菜類、海藻類、茶類、穀物類、果物類、花卉類から選択される少なくとも１種以上を水道水や浴室等の温湯に浸漬することによって残留塩素を除去でき、使用後の素材は一般ゴミとして焼却できるために簡易に処理可能である。
【００２６】
本発明の残留塩素除去材を用いる応用品は、微細孔を有する袋体や箱体に入れて浴用残留塩素除去具として用いることができるために、使用者からすれば簡易に使用可能であり、且つ、残留塩素の除去率も高いことから安心して塩素分の少ない入浴が可能となるものである。
【００２７】
また、冷水ポットやヤカン用の残留塩素除去剤は、移動時に持ち運びが可能なために移動先の水道水等を飲料するときに用い、移動先の環境変化に対応可能となっているために健康管理に寄与するものである。
【発明を実施するための最良の形態】
【００２８】
本発明で使用するファルカタ材は、一般に東南アジアで栽培されている木材であるが、ネムノキ属ファルカタ種に属し、通称名は産地によって異なっている。専門書によれば、「センゴン  ラウト(Sengon laut)は、アルビザーラ  ファルカタ  バック(Alibizzia falcata Back)とも言われ、フィリッピンではモルカン  ソウ(Moluccan sau)、マラヤ・サラワク・ブルナイ・サバではバンタイ(Bantai)、インドネシアではセンゴン  ラウト(Sengon laut)、パプアニューギニアではアルビジア(Albizia)、台湾ではシンゴン(Singon)と呼ばれており、Alibizzia属の樹種は、熱帯アフリカからアジアに分布し、その数１３０といわれるが、普通比重の大きさにより２つのグループに分けられるている。サバでは気乾比重０．４８を境とし、低いものをバタイ(Batai)、高いものをバタイ  バトゥ(Batai batu)と区別しており、A.Falcataは前者の典型的な樹種とされ、前者にはそのほか、A.chinensis, A.pedicellata, 後者にはA. lebbekoides, A. retusa, A. saponariaを入れている」（「熱帯の有用樹種」農林省熱帯農業センター・熱帯林業協会刊より）とあるように、ファルカタ材には多くの種類があり、これらの樹木は残留塩素を除去する機能を有している。
【００２９】
これらのファルカタ材の成長は非常に早く、１０年で樹高３５ｍ、１７年生で４４ｍと言う記録があるくらい生育の早いものであるが、用途として軽軟性を利用してマッチ軸木、マッチ箱、木靴などに利用される他、合・単板や桐材の代用、パルプ用材、最近では環境型弁当箱の材料として国外では有効利用されている。
【００３０】
これらのファルカタ材を残留塩素の除去材として用いるには、先ず所定長さに切断した木をその軸方向に平行にスライスして帯板を得た後に、該帯板を一定形状にカットして薄板とし、更に縦横サイズが２０ｍｍ角以下で、厚さ１．５ｍｍ以内の大きさのチップとしたものを主に用いるが好ましい。
【００３１】
また上記木材やチップを更に粉砕機にかけて、サイズを数ｍｍ程度の粉砕材にしたものを不織布等の収容袋に入れて冷水ポットやヤカン等に入れて、やかん内部の水道水を沸騰させる段階で残留塩素を除去しても良い。
【００３２】
あるいは、ファルカタ材のチップ材を原料として用い、該原料を熱水中で煮沸して得られた抽出エキスを直接に残留塩素除去用エキスとして用いたり、あるいは該抽出エキスに可溶性を有する可食粉体を混合して得た顆粒状の残留塩素除去剤、あるいは、さらにほぼ同量の発泡剤と配合して小粒状にした残留塩素除去剤として、単独で使用することも可能である。
【００３３】
上記ファルカタ材の他、国内材木である檜、桐、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択される木材チップ、あるいは該チップからの熱水抽出エキスを用いても同様の効果を得ることができる。
【００３４】
同様に、豚、牛等から得られる動物コラーゲン粉末や魚等から得られるマリンコラーゲンからなる加水分解コラーゲン粉末（以下、コラーゲン粉末という）や、無菌管理下で湯煎した繭を、酸素処理又は酸の存在下で加水分解した絹蛋白質シルク（フィブロイン）加水分解粉末（以下、シルク粉末という）や、無菌管理下で繭を湯煎した原液を、酸素処理又は酸の存在下で加水分解した絹蛋白質シルク（セリシン）加水分解粉末（以下、セリシン粉末という）や、蟹、海老の甲羅を、アルカリ処理で得られたキチンを、アルカリ処理により脱アセチル化したキトサン粉末（以下、キトサン粉末という）からなる粉末を用いて、同様に残留塩素を除去することができる。
【００３５】
上記コラーゲン粉末、シルク粉末、セリシン粉末は、一般的に蛋白質の加水分解粉末であり、通常タンパク質は２０種類のアミノ酸を材料として作られるものある。このアミノ酸には、人間の体内で合成される１０種類の非必須アミノ酸の他に、体内での合成が遅く幼児には必須の２種類の準必須アミノ酸の他に、体内で作ることができず食事として補給しないと何らかの病気になる８種類の必須アミノ酸があるとされている。
【００３６】
本発明においては、上記コラーゲン粉末、シルク粉末、セリシン粉末からなる蛋白質加水分解粉末およびその水溶液に残留塩素除去作用があることを知見したが、当然にこれらの蛋白質を構成するアミノ酸も残留塩素除去作用を有し、具体的には市販のグルタミン酸ナトリウムやかつおダシでも残留塩素を除去できる。
【００３７】
さらに生よもぎやつたの葉等の草木類、昆布等の海藻類、生キャベツ、乾燥キャベツ、生キュウリ等の野菜類、乾燥緑茶等の茶類、精製白米等の穀物類、食塩等の調味類、柑橘類、リンゴ、柿、梨、桃等の果実類、バラ等の花卉類を用いても、水道水中の残留塩素を除去することができる。
【００３８】
本発明の除去材として、上記木材系抽出エキスのみならず、コラーゲン粉末等の抽出エキスや草木類、野菜類、穀物類等の乾燥物から得られる抽出エキスを直接に、あるいは、抽出エキスを乾燥させて得た粉末や可食粉末と混合して得た顆粒状を除去剤として用いることができる他、香料、着色剤、溶剤、安定剤や酸化防止剤等の助材と混合したり、あるいはデンプンや乳糖の様な賦形剤等と混合して錠剤等の固形除去剤として用いることができる。
【００３９】
また本発明の除去剤は、単に水道水中の残留塩素を除去するのみにでなく、温浴効果を有する入浴剤として医薬品、あるいは医薬部外品として用いることができ、形状もエキス単独の他に、粉末、錠剤、顆粒状、バスオイル等の市販品と同様に用いることができるものである。
【００４０】
以下、実施例をもって本発明を詳細に説明するが、本発明の範囲はこれらに限定されるものではない。
【実施例１】
【００４１】
残留塩素除去材として東南アジアから輸入したファルカタ材を用いて、予め縦横サイズが２０ｍｍ角以下で、厚さ１．５ｍｍ以内の大きさのチップを準備し、川崎市多摩区の水道水を被処理液としてチップ材の添加量を変えて各時間における水道水中の残留塩素除去試験を行った。
【００４２】
この試験は、被処理水を２００ｍｌ入れたビーカーに対して、２０ｍｍ角以下で、厚さ１．５ｍｍ以内の大きさに揃えたファルカタ材チップを、添加量として０．１ｇ、０．２ｇ、０．３ｇ、０．４ｇ、０．５ｇ、０．６ｇ、０．７ｇの７種類のサンプルと水道水原液（以下、ブランク液という）を用い、起電圧測定法（５段階ＬＥＤ表示）で液中の残留塩素を求め、その結果を表１に示した。
【００４３】
【表１】
2006289208.tif 000003
【００４４】
表１から、ファルカタ材チップを用いないブランク液は、３０分経っても残留塩素が０．８０ｐｐｍのままであるのに対して、原水２００ｍｌに僅か０．１ｇのチップ剤を入れた場合には１分経過後から残留塩素分が減少し、２０分以降には０．０５ｐｐｍという測定機器の最低値を示すようになった。
【００４５】
本実施例では、さらに水道水の量やチップ剤の添加量を変えることによって水道水に対して０．０００５ｇ／ｍｌ以上、好ましくは０．００２５〜０．００５ｇ/ｍｌのファルカタ材チップを入れることにより水道水中の残留塩素を除去することができることを確認できた。なお、この場合、０．００５ｇ／ｍｌ以上でも当然に残留塩素の除去効果を有するが、材料費が高くつくため好ましい範囲を限定した。
【実施例２】
【００４６】
残留塩素除去材として東南アジアから輸入したファルカタ材を用いて、予め縦横サイズが２０ｍｍ角以下で、厚さ１．５ｍｍ以内の大きさのチップを準備し、川崎市多摩区の水道水を温めた温湯を被処理液としてチップ材の添加量を変えて各時間における温湯中の残留塩素除去試験を行った。
【００４７】
この試験は、予めファルカタ材チップを２０ｍｍ角以下で、厚さ１．５ｍｍ以内の大きさのチップに揃えたものを、添加量として１０ｇ、１５ｇ、２０ｇ、２５ｇ、３０ｇの５種類のサンプルと水道水原湯（以下、ブランク湯液という）、約４１℃で１６０リットルを用い、起電圧測定法（５段階ＬＥＤ表示）で液中の残留塩素を求め、その結果を表２に示した。
【００４８】
【表２】
2006289208.tif 000004
【００４９】
表２から、ファルカタ材チップを用いないブランク湯液は、５０分経っても残留塩素が０．８０ｐｐｍのままであるのに対して、原湯１６０リットルに僅か１０ｇのチップ剤を入れた場合には１５分経過後から残留塩素分が減少し、６０分以降には０．０５ｐｐｍという測定機器の最低値を示すようになった。
【００５０】
本実施例では、さらに温湯の量やチップ剤の添加量を変えることによって温湯に対して０．０６ｇ／リットル以上、好ましくは０．１〜０．２５ｇ/リットルのファルカタ材チップを入れることにより水道水中の残留塩素を除去することができることを確認できた。なお、この場合、０，２５ｇ／リットル以上では当然残留塩素の除去効果を有するが、材料費が高くつくため実施例１同様に好ましい範囲を限定した。
【００５１】
この実施例の応用製品として、風呂水のように多い容量の場合は、図１に示すように密封方式のように封入口２を設けた微細孔４を有する長方形状の袋体１に所定量のファルカタ材チップ３を封入したものや、図２に示すように蓋５付き多孔質の矩形形状の箱体６中に所定量のファルカタ材チップ３を封入して浴槽に漬け、温湯中の残留塩素を除去することができる。
【実施例３】
【００５２】
ファルカタ材を粉砕機で粉砕して得た約５ｍｍ前後のサイズからなるファルカタ材粉砕物を０．１ｇ、０．４ｇ、０．５ｇとなるように計量して、図１に示すようにポリエチレン製不織布からなる微細孔を有する袋体６に入れて１００ｍｌ入りビーカーに浸漬し、加温を加えて煮沸したところ煮沸後の残留塩素は全て０．０５ｐｐｍという測定機器の最低値を示すようになっていた。
【００５３】
この場合、袋体の素材としては上記ポリエチレンの他、ポリプロピレン、ポリエーテル、ポリエステル、ポリアクリル酸誘導体、ポリアクリロニトリル、ポリメタアクリル酸誘導体、ポリアミド等の合成繊維からなる不織布パット、コットンパット等であってファルカタ材粉砕物を内部から外部へ通過させない程度の微細孔を有するものであればよく、これらの袋体に添加する量は、この水道水に対して０．０００５ｇ／ｍｌ以上、好ましくは０．００２５〜０．００５ｇ/ｍｌの割合が適している。
【００５４】
この実施例の応用製品として、図３に示すように微細孔４を有するパック状の袋体７にファルカタ材粉砕物８を適量詰めた残留塩素除去剤を冷水ポットやヤカン等の中に入れて煮沸しながら残留塩素を除去することも可能であり、このような袋体は携帯用除去剤として使用できるものである。
【実施例４】
【００５５】
予め縦横サイズが２０ｍｍ角以下で、厚さ１．５ｍｍ以内の大きさのチップを準備し、表３に示すようにチップ材を２ｇ、３ｇ、４ｇ、５ｇ、６ｇ秤量して精製水中に混入してから弱火で所定時間煮沸し、濾過して１０ｍｌの抽出液（エキス）を得た。
【００５６】
得られた抽出液（エキス）を１０ｍｌ点眼容器に入れ、水道水１００ｍｌ中に添加して攪拌後の残留塩素０．８０ｐｐｍが０．０５ｐｐｍ以下になるのに必要な添加量を求めた結果を表３に併せて示す。
【００５７】
【表３】
2006289208.tif 000005
【００５８】
この結果、水道水１００ｍｌに対して、少なくとも０．１１ｍｌ以上添加すると残留塩素が除去されていることが判明し、除去材として十分に用いることが理解される。この抽出液（エキス）を単独で用いる場合には、プラスチック製又はアルミ製容器に封入すると携帯可能な残留塩素除去剤として用いることができる。
【００５９】
得られたファルカタ材熱水抽出液（エキス）１０ｍｌに対して、可溶性である可食性の乳糖や粉糖から選択された糖分１５０ｇとアセロア果汁４５ｍｌを攪拌機で攪拌混合した後、食品乾燥機で乾燥して２００ｍｇの顆粒状の可食材からなる残留塩素除去剤を得た。
【００６０】
上記可食材からなる残留塩素除去剤は単独でも使用可能であるが、更に残留塩素除去剤に対し発泡剤として、炭酸ナトリウムとクエン酸からなる混合物を同量添加して混合して、小粒状の残留塩素除去剤を得た。
【００６１】
この実施例の応用製品として、上記残留塩素除去剤からなる小粒を単独で冷水ポットやヤカンに入れて煮沸するか、あるいはコップ中の水道水に入れて使用することが可能であり、更に浴用剤として用いる場合には、上記残留塩素除去剤の小粒を単独でも使用できるが、この場合、上記残留塩素助材の小粒に香料を含めて小粒が溶解すると癒し系の香料が浴槽上部に漂うようにすることも可能である。
【００６２】
上記香料としては、ローズマリー、ラベンダー、レモン等の植物由来香料、アニスアルデヒド、サリチル酸メチル等の合成香料の少なくとも１種以上を、上記可食塩素除去剤と発泡剤を混合するときに一緒に香料素材を適量添加して小粒状の残留塩素除去剤とすることができる。
【実施例５】
【００６３】
チップ材として国内産檜材、桐材、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択される少なくと１種以上のチップ材を用いた以外は、実施例１と同様に予め縦横サイズが１０ｍｍ角以内の大きさのチップを１．５ｇ準備し、川崎市多摩区の水道水を被処理液としてチップ材の添加後３０秒後の水道水中の残留塩素除去試験を行った。
【００６４】
この試験は、被処理水を２００ｍｌ入れたビーカーに対して、１０ｍｍ角以内の大きさに揃えた檜材、桐材、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から選択される少なくと１種以上のチップ材チップを、添加量として１．５ｇの２種類のサンプルと水道水原液を用い、起電圧測定法（５段階ＬＥＤ表示）で液中の残留塩素を求めたところ、ブランク液は、３０分経っても残留塩素が０．８０ｐｐｍのままであるのに対して、原水２００ｍｌに僅か１．５ｇのチップ剤を入れた場合には３０秒経過後には０．０５ｐｐｍという測定機器の最低値を示すようになった。
【実施例６】
【００６５】
図４に示す形状の縦１５ｃｍ、攪拌部横幅３ｃｍのマドラーをファルカタ材で製造し、ビーカーに２００ｍｌの水道水を入れ該マドラーで１分間攪拌した後に起電圧測定法（５段階ＬＥＤ表示）で液中の残留塩素を求めたところ、０．０５ｐｐｍという測定機器の最低値を示すようになった。
【００６６】
同様に、国内産の檜材、桐材、杉、楢、ブナ、ケヤキ、カシ、桜、もみ、ホオノキ、シナノキ、トチノキ、カツラ、クルミ、タモ、カエデ、ミズキ、クリ、カリン、チーク、アガチス、エンジュ、杜仲、オリーブ、ラワン、松、竹、リンゴ、ヒッコリー、クルミ、ホワイトオーク、ネムの木から成るマドラーを製造して用いたところ、前記のファルカタ材マドラーと同様な結果を得ることができた。
【実施例７】
【００６７】
表４に示す割合のコラーゲン、シルク、セリシンからなる蛋白質粉末、キトサンの各粉末を、ビーカー内の２００ｍｌの水道水中に単独で溶解して３０秒後に残留塩素を測定した結果を、表４に併せて示す。
【００６８】
【表４】
2006289208.tif 000006
【００６９】
この結果、添加量によっても除去率が異なるが、水道水２００ｍｌに対して、少なくとも０．０００２３ｇ以上、好ましくは０．０００４７ｇ添加すると残留塩素が除去されていることが判明し、除去材として十分に用いることが理解される。
【００７０】
さらにこれらの粉末を用い、コラーゲン３５％、シルク３１％、セリシン３１％、キトサン３％の割合で混合した場合の結果を表５に示すが、同様な結果を得ることができた。
【００７１】
【表５】
2006289208.tif 000007
【００７２】
さらに表５に示す割合の混合物の粉末を０．５ｇ秤量して、風呂浴槽に摂氏４２℃のお湯を給湯した中に添加し、さらに１８０リットルの満水になるよう１５分注湯し、再度攪拌して残留塩素の除去試験を行い、その結果を表６に示す。
【００７３】
【表６】
2006289208.tif 000008
【００７４】
この結果、温湯１８０リットルに対して、少なくとも０．５ｇ以上添加すると残留塩素が除去されていることが判明し、除去材として十分に用いることが理解される。
【実施例８】
【００７５】
実施例７に示すコラーゲン、シルク、セリシンからなる蛋白質粉末、キトサン粉末、グルタミン酸等のアミノ酸ナトリウム粉末（商標味の素）からなる素材各０．０５ｇをそれぞれ秤量して１０ｍｌの水溶液で溶解した溶解液をプラスチック製小袋体に封入し、ビーカー内の２００ｍｌの水道水中に０．１１ｍｌ以上を混合させて３０秒後に起電圧測定法及びＤＰＤ測定法で残留塩素を測定したところ、表４に示した結果と同じ効果を得ることができた。
【実施例９】
【００７６】
本実施例においては、残留塩素除去素材として野菜類として生キャベツ、乾燥キャベツ、生キュウリ、乾燥ダイコン、乾燥ニンジンを細片したものを、茶類として乾燥麦茶、乾燥緑茶、乾燥紅茶を、穀類として精製白米を、草木類として生よもぎ、つたの葉を、海藻類として乾燥ワカメ、乾燥ヒジキを、調味類として食塩を、果実として生リンゴ、乾燥リンゴ、生ミカン、乾燥柚の皮を細片したもの、花卉として生ツバキの花、生キクの花、乾燥バラの花を細片したものを用い、水道水２００ｍｌ中における残留塩素除去試験を行った。
【００７７】
この試験は、被処理水を２００ｍｌ入れたビーカーに対して、上記記載の素材を直接水道水中に浸漬して攪拌後、３０秒後に起電圧測定法（５段階ＬＥＤ表示）で液中の残留塩素を求め、その結果を表７に示した。
【００７８】
【表７】
2006289208.tif 000009
【００７９】
表７から、日常使用されている食材や、近在に生育する草木類にも残留塩素の除去効果があることが初めて確認でき、しかも添加量も２００ｍｌの水道水に対して０．１〜１．５ｇで十分に残留塩素を除去できることが判明した。
【実施例１０】
【００８０】
実施例９において多くの素材に残留塩素除去能力を有することが判明したことにより、上記素材の応用品を得るために各素材を先ず乾燥したものを原料として５ｇを秤量して精製水中に混入してから弱火で所定時間煮沸し、濾過して１０ｍｌの抽出液（エキス）を得た。
【００８１】
得られた抽出液（エキス）を１０ｍｌ点眼容器に入れ、水道水１００ｍｌ中に添加して攪拌後の残留塩素０．８０ｐｐｍが０．０５ｐｐｍ以下になるのに必要な添加量を求めたところ、実施例４と同様に水道水１００ｍｌに対して、少なくとも０．１１ｍｌ以上添加すると残留塩素が除去されていることが判明し、除去材として十分に用いることが理解される。この抽出液（エキス）を単独で用いる場合には、プラスチック製容器又はアルミ製容器に封入すると携帯可能な残留塩素除去剤として用いることができる。
【００８２】
得られたファルカタ材熱水抽出液（エキス）１０ｍｌに対して、可溶性である可食性の乳糖や粉糖から選択された糖分１５０ｇとアセロア果汁４５ｍｌを攪拌機で攪拌混合した後、食品乾燥機で乾燥して２００ｍｇの顆粒状の可食材からなる残留塩素除去剤を得た。
【００８３】
上記可食材からなる残留塩素除去剤は単独でも使用可能であるが、更に残留塩素除去剤に対し発泡剤として、炭酸ナトリウムとクエン酸からなる混合物を同量添加して混合して、小粒状の残留塩素除去剤を得た。
【図面の簡単な説明】
【００８４】
【図１】実施例２における応用品を示す分解斜視図である。
【図２】実施例２における他の応用品を示す分解斜視図である。
【図３】実施例３における応用品を示す分解斜視図である。
【図４】実施例６におけるマドラーの斜視図である。
【符号の説明】
【００８５】
１・・・袋体
２・・・封入口
３・・・ファルカタ材チップ
４・・・微細孔
５・・・蓋部
６・・・箱体
７・・・パック袋体
８・・・ファルカタ材粉砕物
９・・・紐
１０・・握り部
１１・・マドラー
【図１】
2006289208.tif 000010
【図２】
2006289208.tif 000011
【図３】
2006289208.tif 000012
【図４】
2006289208.tif 000013